(57)【要約】【課題】  水平に確実に膝蓋骨を保持することができ、切断具にて膝蓋骨を高精度に切断することができる膝蓋骨切断器具を提供する。【解決手段】  膝蓋骨Ｐを切断するための膝蓋骨切断器具であって、表て面Ｐ1 側と裏面Ｐ2 側から膝蓋骨Ｐを挟持する挟持具１と、切断刃と、挟持具１に着脱自在に取付けられて切断刃を案内する案内具２を、備える。挟持具１は、膝蓋骨Ｐを載置するための皿状凹部５を有する基台６と、基台６に上下方向スライド自在に取付けられたスライド部材７を、備える。スライド部材７は、基台６に上下方向にスライドする柱部８と、柱部８の上端９に水平方向に連設されて上記皿状凹部５に接近離間調節自在な押さえ部10を有し、基台６の皿状凹部５とスライド部材７の押さえ部10にて膝蓋骨Ｐを挟持するように構成されている。案内具２の案内具本体３が、切断刃を案内するための水平方向の誘導スリット４を有する。【選択図】  図１
2006136458.tif 000002
【特許請求の範囲】
【請求項１】
膝蓋骨（Ｐ）を切断するための膝蓋骨切断器具であって、
表て面（Ｐ1 ）側と裏面（Ｐ2 ）側から膝蓋骨（Ｐ）を挟持する挟持具（１）と、切断刃（37）と、該挟持具（１）に着脱自在に取付けられて上記切断刃（37）を案内する案内具（２）を、備え、
上記挟持具（１）は、膝蓋骨（Ｐ）を載置するための皿状凹部（５）を有する基台（６）と、該基台（６）に上下方向スライド自在に取付けられたスライド部材（７）を、備え、上記スライド部材（７）は、上記基台（６）に上下方向にスライドする柱部（８）と、該柱部（８）の上端（９）に水平方向に連設されて上記皿状凹部（５）に接近離間調節自在な押さえ部（10）を有し、上記基台（６）の皿状凹部（５）と上記スライド部材（７）の押さえ部（10）にて膝蓋骨（Ｐ）を挟持するように構成し、
上記基台（６）はその上面（11）に、膝蓋骨（Ｐ）の挟持状態で膝蓋骨（Ｐ）がずれるのを防止するための複数の小突出子（12）を有し、上記スライド部材（７）は、上記押さえ部（10）の下面（13）に、膝蓋骨（Ｐ）の挟持状態で膝蓋骨（Ｐ）がずれるのを防止するための複数の小突出子（14）を有し、
上記案内具（２）の案内具本体（３）が、上記切断刃（37）を案内するための水平方向の誘導スリット（４）を有することを特徴とする膝蓋骨切断器具。
【請求項２】
基台（６）の小突出子（12）を、皿状凹部（５）の開口周縁（35）に沿って環状に配設するとともに、スライド部材（７）の小突出子（14）を、スライド部材（７）の押さえ部（10）の下面（13）の略全体に散点状に配設した請求項１記載の膝蓋骨切断具。
【請求項３】
案内具（２）の取付高さを調節自在に構成した請求項１又は２記載の膝蓋骨切断具。
【請求項４】
上下方向の切欠溝（15）を有する取付部材（16）を、上記切欠溝（15）にスライド部材（７）の柱部（８）がスライド可能に嵌合するとともに、基台（６）と上記取付部材（16）にて上記柱部（８）の一部を包囲状とするように、上記基台（６）に固着し、
上記基台（６）の下面（18）側に、空転自在に回転ネジ（19）を連設し、
上記スライド部材（７）の柱部（８）の下端（24）に水平部（25）を連設し、該水平部（25）は、鉛直方向の鉛直雌ネジ（26）を有し、
上記回転ネジ（19）と上記鉛直雌ネジ（26）が螺合し、
上記回転ネジ（19）を回転させることにより、該スライド部材（７）が上下にスライドするように構成した請求項１，２又は３記載の膝蓋骨切断具。
【請求項５】
基台（６）の皿状凹部（５）の底面（５ａ）に、上側大径円孔（20）と下側小径円孔（21）から成る段付貫通孔（22）を形成し、該段付貫通孔（22）に、該段付貫通孔（22）の形状に対応した外形形状の吊下部材（23）を嵌着し、該吊下部材（23）に回転ネジ（19）を吊設した請求項４記載の膝蓋骨切断具。
【請求項６】
案内具（２）が下方突出棒（27）を有し、挟持具（１）が、該下方突出棒（27）を差込み又は挿通可能な上下方向の孔を有し、
上記挟持具（１）は、一端（29）が上記挟持具（１）の外面（１ａ）に開口するとともに、他端（30）が上記孔（28）に開口する水平方向の水平雌ネジ（31）と、該水平雌ネジ（31）に螺合する雄ネジ（32）を有し、
上記下方突出棒（27）を上記孔（28）に差込み又は挿通させるとともに、上記雄ネジ（32）を上記水平雌ネジ（31）に螺進させて、上記下方突出棒（27）を任意の高さで固定するように構成した請求項３，４又は５記載の膝蓋骨切断具。
【請求項７】
案内具（２）が、案内具本体（３）に着脱自在なグリップ部（33）を有する請求項１，２，３，４，５又は６記載の膝蓋骨切断具。
【発明の詳細な説明】
【技術分野】
【０００１】
本発明は、膝蓋骨切断器具に関する。
【背景技術】
【０００２】
一般に、膝蓋骨を切断して切断面に人工骨を固着する手術に於て、膝蓋骨の切断は、膝蓋骨切断器具にて膝蓋骨を保持しつつ、切断刃にて切断する（例えば、特許文献１参照）。
【０００３】
しかし、従来の膝蓋骨切断器具は、膝蓋骨を周囲から挟持するものであり、水平にかつ確実に挟持するのに手間がかかるとともに、膝蓋骨の安定性が悪いので、切断を行ないにくいという欠点があった。
【特許文献１】特開平９−２２４９５２号公報
【発明の開示】
【発明が解決しようとする課題】
【０００４】
解決しようとする課題は、膝蓋骨を水平にかつ確実に挟持するのに手間がかかるとともに、膝蓋骨の安定性が悪いので、切断を行ないにくい点である。
【課題を解決するための手段】
【０００５】
そこで、本発明に係る膝蓋骨切断器具は、膝蓋骨を切断するための膝蓋骨切断器具であって；表て面側と裏面側から膝蓋骨を挟持する挟持具と、切断刃と、該挟持具に着脱自在に取付けられて上記切断刃を案内する案内具を、備え；上記挟持具は、膝蓋骨を載置するための皿状凹部を有する基台と、該基台に上下方向スライド自在に取付けられたスライド部材を、備え、上記スライド部材は、上記基台に上下方向にスライドする柱部と、該柱部の上端に水平方向に連設されて上記皿状凹部に接近離間調節自在な押さえ部を有し、上記基台の皿状凹部と上記スライド部材の押さえ部にて膝蓋骨を挟持するように構成し；上記基台はその上面に、膝蓋骨の挟持状態で膝蓋骨がずれるのを防止するための複数の小突出子を有し、上記スライド部材は、上記押さえ部の下面に、膝蓋骨の挟持状態で膝蓋骨がずれるのを防止するための複数の小突出子を有し；上記案内具の案内具本体が、上記切断刃を案内するための水平方向の誘導スリットを有するものである。
【０００６】
また、基台の小突出子を、皿状凹部の開口周縁に沿って環状に配設するとともに、スライド部材の小突出子を、スライド部材の押さえ部の下面の略全体に散点状に配設したものである。
また、案内具の取付高さを調節自在に構成したものである。
【０００７】
また、上下方向の切欠溝を有する取付部材を、上記切欠溝にスライド部材の柱部がスライド可能に嵌合するとともに、基台と上記取付部材にて上記柱部の一部を包囲状とするように、上記基台に固着し；上記基台の下面側に、空転自在に回転ネジを連設し；上記スライド部材の柱部の下端に水平部を連設し、該水平部は、鉛直方向の鉛直雌ネジを有し；上記回転ネジと上記鉛直雌ネジが螺合し；上記回転ネジを回転させることにより、該スライド部材が上下にスライドするように構成したものである。
また、基台の皿状凹部の底面に、上側大径円孔と下側小径円孔から成る段付貫通孔を形成し、該段付貫通孔に、該段付貫通孔の形状に対応した外形形状の吊下部材を嵌着し、該吊下部材に回転ネジを吊設したものである。
【０００８】
また、案内具が下方突出棒を有し、挟持具が、該下方突出棒を差込み又は挿通可能な上下方向の孔を有し；上記挟持具は、一端が上記挟持具の外面に開口するとともに、他端が上記孔に開口する水平方向の水平雌ネジと、該水平雌ネジに螺合する雄ネジを有し；上記下方突出棒を上記孔に差込み又は挿通させるとともに、上記雄ネジを上記水平雌ネジに螺進させて、上記下方突出棒を任意の高さで固定するように構成したものである。
また、案内具が、案内具本体に着脱自在なグリップ部を有するものである。
【発明の効果】
【０００９】
本発明の膝蓋骨切断器具によれば、水平に確実に膝蓋骨を保持することができ、切断具にて膝蓋骨を高精度に切断することができる。
【発明を実施するための最良の形態】
【００１０】
図１〜図４は、本発明の第１の実施の形態を示す。この膝蓋骨切断器具は、膝蓋骨Ｐを切断するためのものであって、表て面Ｐ1 側と裏面Ｐ2 側から膝蓋骨Ｐを挟持する挟持具１と、切断刃37と、挟持具１に着脱自在に取付けられて切断刃37を案内する案内具２を、備える。案内具２の案内具本体３は、金属製であって、切断刃37を案内するための水平方向の誘導スリット４を有する。切断刃37は、例えば、図９に示すように、ボーンソー（電動切断工具）38の一部であって、水平面内で矢印Ｙ方向に揺動するように構成されている。切断刃37は、誘導スリット４に案内されつつ、図２の範囲Ａ及び範囲Ｂに於て、揺動しつつ膝蓋骨Ｐを切断することができる。
【００１１】
挟持具１は、膝蓋骨Ｐを載置するための皿状凹部５を有する金属製基台６と、基台６に上下方向スライド自在に取付けられた金属製スライド部材７を、備える（スライド機構については、後述する）。スライド部材７は、基台６に上下方向にスライドする柱部８と、柱部８の上端９に水平方向に連設されて皿状凹部５に接近離間調節自在な押さえ部10を有する。そして、基台６の皿状凹部５とスライド部材７の押さえ部10にて膝蓋骨Ｐを挟持するように構成されている。
【００１２】
基台６はその上面11に、膝蓋骨Ｐの挟持状態で膝蓋骨Ｐがずれるのを防止するための複数の小突出子12を有する。具体的には、基台６の小突出子12は、皿状凹部５の開口周縁35に沿って環状に配設されている。
【００１３】
スライド部材７は、押さえ部10の下面13に、膝蓋骨Ｐの挟持状態で膝蓋骨Ｐがずれるのを防止するための複数の小突出子14を有する。具体的には、図５に示すように、スライド部材７の小突出子14は、スライド部材７の押さえ部10の下面13の略全体に散点状に配設されている。
【００１４】
次に、スライド部材７のスライド機構について、説明する。
上下方向の切欠溝15を有する取付部材16が、切欠溝15にスライド部材７の柱部８がスライド可能に嵌合するとともに、基台６と取付部材16にて柱部８の一部を包囲状とするように、基台６に、２本のネジ17，17にて固着されている。
基台６の下面18側に、空転自在に金属製回転ネジ19が連設されている。すなわち、基台６の皿状凹部５の底面５ａに、上側大径円孔20と下側小径円孔21から成る段付貫通孔22が形成されている。段付貫通孔22に、段付貫通孔22の形状に対応した外形形状の樹脂製吊下部材23が嵌着されている。吊下部材23に回転ネジ19が吊設されている。
スライド部材７の柱部８の下端24に水平部25が連設されている。水平部25は、鉛直方向の鉛直雌ネジ26を有する。回転ネジ19と鉛直雌ネジ26が螺合している。このように、回転ネジ19を回転させることにより、スライド部材７が上下にスライドするように構成されている。
【００１５】
図６に示すように、案内具２の取付高さは調節自在に構成されている。例えば、図６のＡは、案内具２を高い位置で挟持具１に取付けた状態を示し、図６のＢは、案内具２を低い位置で挟持具１に取付けた状態を示す。
【００１６】
次に、案内具２の取付高さの調節機構について、説明する。
案内具２の案内具本体３は、前後２本の下方突出棒27，27を有する（図４では、案内具本体３を、上下逆転させて描いている）。挟持具１の取付部材16は、下方突出棒27，27を差込み又は挿通可能な上下方向の孔28，28を、前後に有する。
【００１７】
図１〜４、及び、図７に示すように、挟持具１は、一端29が挟持具１の外面１ａに開口するとともに、他端30が孔28に開口する水平方向の水平雌ネジ31と、水平雌ネジ31に螺合する雄ネジ32を有する。上記前後の孔28，28に各々対応する水平雌ネジ31，31が成す角度θは、θ≦ 120°に設定されている。各々の水平雌ネジ31に雄ネジ32を螺合させるときに、２本の水平雌ネジ31，31が近い位置にあるので、容易に雄ネジ32を螺合させることができて、迅速かつスムーズに手術を進めることができる。 120°＜θの場合、水平雌ネジ31を螺進させるときに、手を不自然な向きにする必要が生じて、水平雌ネジ31を螺進させにくくなる虞れがある。図７では、θ≒ 100°の場合を示す。
このように、下方突出棒27を孔28に差込み又は挿通させるとともに、雄ネジ32を水平雌ネジ31に螺進させて、下方突出棒27を任意の高さで固定するように構成されている。
【００１８】
下方突出棒27は、案内具２の取付状態に於て、雄ネジ32の軸心と垂直な平面34を有する。この平面34によって、案内具２を確実に挟持具１に取付けることができる。
案内具２は、案内具本体３に着脱自在なグリップ部33を有する。
【００１９】
図８は、第２の実施の形態を示す。挟持具１の上記前後の孔28，28に各々対応する水平雌ネジ31，31が成す角度θは、θ≦60°に設定されている。各々の水平雌ネジ31に雄ネジ32を螺合させるときに、２本の水平雌ネジ31，31が、より近い位置にあるので、さらに容易に雄ネジ32を螺合させることができて、迅速かつスムーズに手術を進めることができる。
【００２０】
なお、本発明は、設計変更可能であって、例えば、挟持具１の基台６が、（下方突出棒27を差込み又は挿通可能な上下方向の）孔28を有するも良い。
【００２１】
以上のように、本発明は、膝蓋骨Ｐを切断するための膝蓋骨切断器具であって、表て面Ｐ1 側と裏面Ｐ2 側から膝蓋骨Ｐを挟持する挟持具１と、切断刃37と、挟持具１に着脱自在に取付けられて切断刃37を案内する案内具２を、備え、挟持具１は、膝蓋骨Ｐを載置するための皿状凹部５を有する基台６と、基台６に上下方向スライド自在に取付けられたスライド部材７を、備え、スライド部材７は、基台６に上下方向にスライドする柱部８と、柱部８の上端９に水平方向に連設されて皿状凹部５に接近離間調節自在な押さえ部10を有し、基台６の皿状凹部５とスライド部材７の押さえ部10にて膝蓋骨Ｐを挟持するように構成し、基台６はその上面11に、膝蓋骨Ｐの挟持状態で膝蓋骨Ｐがずれるのを防止するための複数の小突出子12を有し、スライド部材７は、押さえ部10の下面13に、膝蓋骨Ｐの挟持状態で膝蓋骨Ｐがずれるのを防止するための複数の小突出子14を有し、案内具２の案内具本体３が、切断刃37を案内するための水平方向の誘導スリット４を有するので、水平に確実に膝蓋骨Ｐを保持することができ、切断具にて膝蓋骨Ｐを高精度に切断することができる。
【００２２】
また、基台６の小突出子12を、皿状凹部５の開口周縁に沿って環状に配設するとともに、スライド部材７の小突出子14を、スライド部材７の押さえ部10の下面13の略全体に散点状に配設したので、膝蓋骨Ｐを確実に保持することができるとともに、膝蓋骨Ｐの人体に残す部分（すなわち、表て面Ｐ1 側の部分）をほとんど傷つけることなく手術を行なうことができる。
また、案内具２の取付高さを調節自在に構成したので、膝蓋骨Ｐを任意の高さの切断位置にて切断することができる。すなわち、所定の厚さ分の膝蓋骨Ｐ（の表て面Ｐ1 側の部分）を体内に残すように、膝蓋骨Ｐの裏面Ｐ2 側の部分を切除することができる。
【００２３】
また、上下方向の切欠溝15を有する取付部材16を、切欠溝15にスライド部材７の柱部８がスライド可能に嵌合するとともに、基台６と取付部材16にて柱部８の一部を包囲状とするように、基台６に固着し、基台６の下面18側に、空転自在に回転ネジ19を連設し、スライド部材７の柱部８の下端24に水平部25を連設し、水平部25は、鉛直方向の鉛直雌ネジ26を有し、回転ネジ19と鉛直雌ネジ26が螺合し、回転ネジ19を回転させることにより、スライド部材７が上下にスライドするように構成したので、回転ネジ19を回転させるという簡単な操作にて、スライド部材７を容易に上下にスライドさせることができ、至便である。  また、基台６の皿状凹部５の底面５ａに、上側大径円孔20と下側小径円孔21から成る段付貫通孔22を形成し、段付貫通孔22に、段付貫通孔22の形状に対応した外形形状の吊下部材23を嵌着し、吊下部材23に回転ネジ19を吊設したので、簡単な構造であって、回転ネジ19を同じ高さ位置にて、空転させることができる。
【００２４】
また、案内具２が下方突出棒27を有し、挟持具１が、下方突出棒27を差込み又は挿通可能な上下方向の孔28を有し、挟持具１は、一端29が挟持具１の外面１ａに開口するとともに、他端30が孔28に開口する水平方向の水平雌ネジ31と、水平雌ネジ31に螺合する雄ネジ32を有し、下方突出棒27を孔28に差込み又は挿通させるとともに、雄ネジ32を水平雌ネジ31に螺進させて、下方突出棒27を任意の高さで固定するように構成したので、案内具２を挟持具１に対して任意の高さ位置で固定することができる。特に、容易に案内具２の高さを調節することができる。
また、案内具２が、案内具本体３に着脱自在なグリップ部33を有するので、不要なときにはグリップ部33を案内具本体３から取外すことができる。特に、手術中は、グリップ部33を取外すことにより、作業性が向上する。
【図面の簡単な説明】
【００２５】
【図１】本発明の第１の実施の形態の使用状態を示す正面図である。
【図２】使用状態を示す平面図である。
【図３】斜視図である。
【図４】分解斜視図である。
【図５】押さえ部を示す説明用底面図である。
【図６】説明用簡略正面図である。
【図７】説明用平面図である。
【図８】第２の実施の形態を示す説明用平面図である。
【図９】ボーンソーを示す斜視図である。
【符号の説明】
【００２６】
１  挟持具
１ａ  外面
２  案内具
３  案内具本体
４  誘導スリット
５  皿状凹部
５ａ  底面
６  基台
７  スライド部材
８  柱部
９  上端
10  押さえ部
11  上面
12  小突出子
13  下面
14  小突出子
15  切欠溝
16  取付部材
18  下面
19  回転ネジ
20  上側大径円孔
21  下側小径円孔
22  段付貫通孔
23  吊下部材
24  下端
25  水平部
26  鉛直雌ネジ
27  下方突出棒
28  孔
29  一端
30  他端
31  水平雌ネジ
32  雄ネジ
33  グリップ部
35  開口周縁
37  切断刃
Ｐ  膝蓋骨
Ｐ1   表て面
Ｐ2   裏面
【図１】
2006136458.tif 000003
【図２】
2006136458.tif 000004
【図３】
2006136458.tif 000005
【図４】
2006136458.tif 000006
【図５】
2006136458.tif 000007
【図６】
2006136458.tif 000008
【図７】
2006136458.tif 000009
【図８】
2006136458.tif 000010
【図９】
2006136458.tif 000011